(57)【要約】 【課題】表示装置のユーザの現在位置に応じて適切な情報を表示する仕組みを実現する。【解決手段】本発明のシステムは、表示装置と情報処理装置と通信装置とを含み、記憶手段と第３の情報取得手段と特定手段と決定手段と制御手段とを備える。記憶手段は、識別情報ごとに、表示装置に関連付けられる第１の情報に対応する第２の情報の表示項目を紐付けて記憶する。第３の情報取得手段は、第１の情報と、該第１の情報に対応する表示装置が接続されるネットワークの識別情報とを含む第３の情報を取得する。特定手段は、第３の情報と、記憶手段に記憶された情報とに基づいて、第３の情報に含まれる識別情報に対応する表示項目を特定する。決定手段は、第３の情報に含まれる第１の情報に対応する第２の情報のうち、特定手段により特定された表示項目に対応する情報を表示情報として決定する。制御手段は、表示情報を表示装置に表示する制御を行う。【選択図】図１
2017033338.tif 000002
【特許請求の範囲】
【請求項１】
表示装置と、情報処理装置と、前記情報処理装置に接続される複数のネットワークごとに設けられ、前記表示装置を前記ネットワークに接続するための通信装置と、を含むシステムであって、
何れかの前記ネットワークを識別する識別情報ごとに、前記表示装置に関連付けられる第１の情報に対応する第２の情報の表示項目を紐付けて記憶する記憶手段と、
前記第１の情報と、該第１の情報に対応する前記表示装置が接続される前記ネットワークの前記識別情報とを含む第３の情報を取得する第３の情報取得手段と、
前記第３の情報と、前記記憶手段に記憶された情報とに基づいて、前記第３の情報に含まれる前記識別情報に対応する前記表示項目を特定する特定手段と、
前記第３の情報に含まれる前記第１の情報に対応する前記第２の情報のうち、前記特定手段により特定された前記表示項目に対応する情報を、前記表示装置に表示する表示情報として決定する決定手段と、
前記決定手段により決定された前記表示情報を前記表示装置に表示する制御を行う制御手段と、を備える、
システム。
【請求項２】
前記通信装置は、
前記ネットワークに接続する前記表示装置に対して、前記識別情報を通知する識別情報通知手段と、
前記表示装置から送信された前記第３の情報を前記情報処理装置へ送信し、前記第３の情報に対する応答として前記情報処理装置から送信された前記表示情報を前記表示装置へ送信する中継手段と、を備え、
前記情報処理装置は、
前記記憶手段と、
前記第３の情報取得手段と、
前記特定手段と、
前記決定手段と、
前記決定手段により決定された前記表示情報を、前記通信装置を経由して前記表示装置へ送信する表示情報送信手段と、を備え、
前記表示装置は、
前記通信装置から通知された前記識別情報と、前記第１の情報とを含む前記第３の情報を、前記通信装置を経由して前記情報処理装置へ送信する第３の情報送信手段と、
前記第３の情報に対する応答として前記表示情報を取得する表示情報取得手段と、
前記表示情報を表示部に表示する制御を行う表示制御手段と、を備える、
請求項１に記載のシステム。
【請求項３】
前記表示装置は、
前記表示情報を記憶する表示情報記憶手段をさらに備え、
前記表示制御手段は、
前記表示装置が前記ネットワークに接続されているか否かを定期的に確認し、前記表示装置が前記ネットワークに接続されている場合は、前記表示情報記憶手段に記憶された前記表示情報を前記表示部に表示する制御を行う一方、前記表示装置が前記ネットワークに接続されていない場合は、前記表示情報記憶手段に記憶された前記表示情報を消去し、該表示情報の表示を停止する制御を行う、
請求項２に記載のシステム。
【請求項４】
前記情報処理装置は、
前記第３の情報取得手段により取得された前記第３の情報ごとに、前記決定手段により決定された前記表示情報を対応付けて記憶する表示情報記憶手段を更に備え、
前記表示情報送信手段は、
前記表示情報記憶手段に記憶された前記第３の情報ごとに、該第３の情報に対応する前記表示情報を、該第３の情報に対応する前記表示装置へ定期的に送信する、
請求項２に記載のシステム。
【請求項５】
前記表示装置は、
前記表示装置が前記ネットワークに接続されているか否かを定期的に確認し、前記表示装置が前記ネットワークに接続されている場合は、前記ネットワークに対応する前記通信装置から通知された前記識別情報と、前記第１の情報とを含み、かつ、前記表示情報を要求する表示要求情報を、前記通信装置を経由して前記情報処理装置へ送信する表示要求送信手段をさらに備え、
前記表示情報取得手段は、前記表示要求情報に対する応答として、前記表示情報を取得し、
前記通信装置の前記中継手段は、
前記表示装置から送信された前記表示要求情報を前記情報処理装置へ送信し、前記表示要求情報に対する応答として前記情報処理装置から送信された前記表示情報を前記表示装置へ送信し、
前記情報処理装置は、
前記第３の情報取得手段により取得された前記第３の情報ごとに、前記決定手段により決定された前記表示情報を対応付けて記憶する表示情報記憶手段と、
前記表示要求情報を取得する表示要求情報取得手段と、
前記表示要求情報と、前記表示情報記憶手段に記憶された情報とに基づいて、該表示要求情報に対応する前記表示情報を特定する表示情報特定手段と、をさらに備え、
前記表示情報送信手段は、前記表示情報特定手段により特定された前記表示情報を、前記通信装置を経由して前記表示装置へ送信する、
請求項２に記載のシステム。
【請求項６】
前記通信装置は、
前記ネットワークに接続する前記表示装置から前記第１の情報を取得する第１の情報取得手段と、
前記第１の情報と前記識別情報とを含む前記第３の情報を前記情報処理装置へ送信し、前記第３の情報に対する応答として前記情報処理装置から送信された前記表示情報を前記表示装置へ送信する中継手段と、を備え、
前記情報処理装置は、
前記記憶手段と、
前記第３の情報取得手段と、
前記特定手段と、
前記決定手段と、
前記決定手段により決定された前記表示情報を、前記通信装置を経由して前記表示装置へ送信する表示情報送信手段と、を備え、
前記表示装置は、
前記表示装置が接続される前記ネットワークに対応する前記通信装置に対して、前記第１の情報を送信する第１の情報送信手段と、
前記通信装置を経由して前記情報装置から送信された前記表示情報を取得する表示情報取得手段と、
前記表示情報を表示部に表示する制御を行う表示制御手段と、を備える、
請求項１に記載のシステム。
【請求項７】
前記通信装置は、
前記表示装置が前記ネットワークに接続されているか否かを定期的に確認し、前記表示装置が前記ネットワークに接続されていない場合は、前記表示装置の前記第１の情報を含み、かつ、前記表示装置が前記ネットワークに接続されていないことを通知するための通知情報を前記情報処理装置へ送信する通知情報送信手段を備え、
前記情報処理装置は、
前記通知情報を取得する通知情報取得手段と、
前記第３の情報取得手段により取得された前記第３の情報ごとに、前記決定手段により決定された前記表示情報を対応付けて記憶する表示情報記憶手段と、
前記表示情報記憶手段に記憶された前記第３の情報のうち、前記通知情報取得手段により取得された前記通知情報に含まれる前記第１の情報を含む前記第３の情報を特定し、特定した前記第３の情報に対応する前記表示情報の表示を停止する制御を行う表示停止制御手段と、を備える、
請求項２または６に記載のシステム。
【請求項８】
第２のネットワークを介して前記情報処理装置と接続される端末装置をさらに備え、
前記端末装置は、
ユーザの操作に応じて選択された１以上の前記表示項目と、前記端末装置を識別する第４の情報とを含む第５の情報を前記情報処理装置へ送信する第５の情報送信手段と、
前記第５の情報が送信された後、ペアリングを要求するペアリング要求を送信し、前記ペアリング要求を受信した前記表示装置とのペアリングを実施するペアリング制御手段と、
ペアリング済みの前記表示装置に対して、前記端末装置を介して前記第２のネットワークと接続するために必要な接続情報を送信する接続情報送信手段と、
ペアリング済みの前記表示装置から前記第１の情報を取得する第１の情報取得手段と、
前記第１の情報と、前記第４の情報とを含む第６の情報を前記情報処理装置へ送信し、前記第６の情報に対する応答として前記情報処理装置から送信された前記表示情報を前記表示装置へ送信する第２の中継手段と、を備え、
前記情報処理装置は、
前記第５の情報を取得する第５の情報取得手段と、
前記第５の情報を前記記憶手段に登録する登録手段と、
前記第６の情報を取得する第６の情報取得手段と、を備え、
前記特定手段は、前記第６の情報と、前記記憶手段に記憶された情報とに基づいて、前記第６の情報に含まれる前記第４の情報に対応する前記表示項目を特定し、
前記決定手段は、前記第６の情報に含まれる前記第１の情報に対応する前記第２の情報のうち、前記特定手段により特定された前記表示項目に対応する情報を、前記表示情報として決定し、
前記表示情報送信手段は、前記決定手段により決定された前記表示情報を、前記端末装置を経由して前記表示装置へ送信し、
前記表示装置は、
前記端末装置に対して、前記第１の情報を送信する第１の情報送信手段を備え、
前記表示情報取得手段は、前記第１の情報に対する応答として、前記表示情報を取得する、
請求項２乃至７のうちの何れか１項に記載のシステム。
【請求項９】
端末装置をさらに備え、
前記端末装置は、
ユーザの操作に応じて、前記第１の情報と第２の表示情報とを含む第７の情報を前記情報処理装置へ送信する第７の情報送信手段を備え、
前記情報処理装置は、
前記第７の情報を取得する第７の情報取得手段と、
前記第７の情報に含まれる前記第１の情報に対応する前記第２の情報に、前記第７の情報に含まれる前記第２の表示情報を追加する追加手段と、をさらに備え、
前記表示情報送信手段は、
前記表示情報記憶手段に記憶された前記第３の情報に含まれる前記第１の情報に対応する前記第２の情報の中に、前記第２の表示情報が含まれる場合は、該第３の情報に対応する前記表示情報に対して前記第２の表示情報を加えた情報を前記表示情報として前記表示装置へ送信する、
請求項４に記載のシステム。
【請求項１０】
端末装置をさらに備え、
前記端末装置は、
ユーザの操作に応じて、前記第１の情報と第２の表示情報とを含む第７の情報を前記情報処理装置へ送信する第７の情報送信手段を備え、
前記情報処理装置は、
前記第７の情報を取得する第７の情報取得手段と、
前記第７の情報に含まれる前記第１の情報に対応する前記第２の情報に、前記第７の情報に含まれる前記第２の表示情報を追加する追加手段と、をさらに備え、
前記特定手段は、前記表示要求情報に含まれる前記第１の情報に対応する前記第２の情報の中に前記第２の表示情報が含まれるか否かを判断し、
前記決定手段は、前記表示要求情報に含まれる前記第１の情報に対応する前記第２の情報の中に前記第２の表示情報が含まれる場合は、前記表示要求情報に含まれる前記第１の情報に対応する前記第２の情報のうち前記特定手段により特定された前記表示項目に対応する情報に対して、前記第２の表示情報を加えた情報を前記表示情報として決定する、
請求項５に記載のシステム。
【請求項１１】
表示装置と、複数のネットワークに接続される情報処理装置と、を含むシステムであって、
何れかの前記ネットワークを識別する識別情報ごとに、前記表示装置に関連付けられる第１の情報に対応する第２の情報の表示項目を紐付けて記憶する記憶手段と、
前記第１の情報と、該第１の情報に対応する前記表示装置が接続される前記ネットワークの前記識別情報とを含む第３の情報を取得する第３の情報取得手段と、
前記第３の情報と、前記記憶手段に記憶された情報とに基づいて、前記第３の情報に含まれる前記第１の情報に対応する前記第２の情報の表示項目を特定する特定手段と、
前記第３の情報に含まれる前記第１の情報に対応する前記第２の情報のうち、前記特定手段により特定された前記表示項目に対応する情報を、前記表示装置に表示する表示情報として決定する決定手段と、
前記決定手段により決定された前記表示情報を前記表示装置に表示する制御を行う制御手段と、を備える、
システム。
【請求項１２】
表示装置であって、
複数のネットワークのうちの何れかの前記ネットワークを識別する識別情報ごとに、前記表示装置に関連付けられる第１の情報に対応する第２の情報の表示項目を紐付けて記憶する記憶手段と、
前記表示装置が接続される前記ネットワークの前記識別情報と、前記第１の情報と、前記記憶手段に記憶された情報とに基づいて、前記第１の情報に対応する前記第２の情報の表示項目を特定する特定手段と、
前記第１の情報に対応する前記第２の情報のうち、前記特定手段により特定された前記表示項目に対応する情報を表示情報として決定する決定手段と、
前記決定手段により決定された前記表示情報を表示部に表示する制御を行う表示制御手段と、を備える、
表示装置。
【請求項１３】
表示装置に搭載されるコンピュータに、
複数のネットワークのうちの何れかの前記ネットワークを識別する識別情報ごとに、前記表示装置に関連付けられる第１の情報に対応する第２の情報の表示項目を紐付けて記憶する記憶手段に記憶された情報と、前記表示装置が接続されるネットワークの前記識別情報と、前記第１の情報とに基づいて、前記第１の情報に対応する前記第２の情報の表示項目を特定する特定ステップと、
前記第１の情報に対応する前記第２の情報のうち、前記特定ステップにより特定された前記表示項目に対応する情報を表示情報として決定する決定ステップと、
前記決定ステップにより決定された前記表示情報を表示部に表示する制御を行う表示制御ステップと、を実行させるためのプログラム。
【発明の詳細な説明】
【技術分野】
【０００１】
本発明は、システム、表示装置およびプログラムに関する。
【背景技術】
【０００２】
例えば教師等が、学校や幼稚園などに通う児童を識別し易くすることを目的として、児童に名札を付けさせることは一般的である。
【０００３】
例えば特許文献１には、児童の下校時の防犯を目的として、名札にＩＣタグを組み込み、ＧＰＳ等を使用せずに児童の行動範囲を把握する方法が開示されている。
【発明の概要】
【発明が解決しようとする課題】
【０００４】
しかしながら、従来技術では、名札に記載（表示）される情報は固定であり、児童の現在位置に応じて適切な情報を表示するという仕組みは存在しなかった。
【課題を解決するための手段】
【０００５】
上述した課題を解決し、目的を達成するために、本発明は、表示装置と、情報処理装置と、前記情報処理装置に接続される複数のネットワークごとに設けられ、前記表示装置を前記ネットワークに接続するための通信装置と、を含むシステムであって、何れかの前記ネットワークを識別する識別情報ごとに、前記表示装置に関連付けられる第１の情報に対応する第２の情報の表示項目を紐付けて記憶する記憶手段と、前記第１の情報と、該第１の情報に対応する前記表示装置が接続される前記ネットワークの前記識別情報とを含む第３の情報を取得する第３の情報取得手段と、前記第３の情報と、前記記憶手段に記憶された情報とに基づいて、前記第３の情報に含まれる前記識別情報に対応する前記表示項目を特定する特定手段と、前記第３の情報に含まれる前記第１の情報に対応する前記第２の情報のうち、前記特定手段により特定された前記表示項目に対応する情報を、前記表示装置に表示する表示情報として決定する決定手段と、前記決定手段により決定された前記表示情報を前記表示装置に表示する制御を行う制御手段と、を備える。
【発明の効果】
【０００６】
本発明によれば、名札（表示装置）を身に付けたユーザ（児童等）の現在位置に応じて適切な情報を表示する仕組みを実現できる。
【図面の簡単な説明】
【０００７】
【図１】図１は、システムの概念図である。
【図２】図２は、システムの概略構成の一例を示す図である。
【図３】図３は、アクセスポイントのハードウェア構成の一例を示す図である。
【図４】図４は、アクセスポイントが有する機能の一例を示す図である。
【図５】図５は、サーバのハードウェア構成の一例を示す図である。
【図６】図６は、サーバが有する機能の一例を示す図である。
【図７】図７は、記憶手段に記憶された情報の一例を示す図である。
【図８】図８は、記憶手段に記憶された情報の一例を示す図である。
【図９】図９は、名札のハードウェア構成の一例を示す図である。
【図１０】図１０は、名札が有する機能の一例を示す図である。
【図１１】図１１は、表示情報の一例を示す図である。
【図１２】図１２は、表示情報の一例を示す図である。
【図１３】図１３は、システムによる処理の手順の一例を示すシーケンス図である。
【図１４】図１４は、システムによる処理の一例を示すフローチャートである。
【図１５】図１５は、名札による処理の一例を示すフローチャートである。
【図１６】図１６は、第１の実施形態の変形例のサーバが有する機能の一例を示す図である。
【図１７】図１７は、表示情報記憶手段に記憶された情報の一例を示す図である。
【図１８】図１８は、第１の実施形態の変形例の名札が有する機能の一例を示す図である。
【図１９】図１９は、第１の実施形態の変形例のサーバが有する機能の一例を示す図である。
【図２０】図２０は、第１の実施形態の変形例の名札が表示要求情報を定期的に送信し、その応答として受信した表示情報を表示する手順の一例を示すシーケンス図である。
【図２１】図２１は、第１の実施形態の変形例の名札が有する機能の一例を示す図である。
【図２２】図２２は、第１の実施形態の変形例のアクセスポイントが有する機能の一例を示す図である。
【図２３】図２３は、第１の実施形態の変形例のシステムによる処理の手順の一例を示すシーケンス図である。
【図２４】図２４は、第１の実施形態の変形例のアクセスポイントが有する機能の一例を示す図である。
【図２５】図２５は、第１の実施形態の変形例のアクセスポイントが管理する情報の一例を示す図である。
【図２６】図２６は、第１の実施形態の変形例のサーバが有する機能の一例を示す図である。
【図２７】図２７は、第１の実施形態の変形例のシステムによる処理の一例を示すフローチャートである。
【図２８】図２８は、第１の実施形態の変形例の名札が有する機能の一例を示す図である。
【図２９】図２９は、第２の実施形態のシステムの概略構成の一例を示す図である。
【図３０】図３０は、第２の実施形態の名札のハードウェア構成の一例を示す図である。
【図３１】図３１は、第２の実施形態の教師端末が有する機能の一例を示す図である。
【図３２】図３２は、操作画面の一例を示す図である。
【図３３】図３３は、第２の実施形態のサーバが有する機能の一例を示す図である。
【図３４】図３４は、第２の実施形態の名札が有する機能の一例を示す図である。
【図３５】図３５は、第２の実施形態のシステムによる処理の手順の一例を示すシーケンス図である。
【図３６】図３６は、第３の実施形態の教師端末が有する機能の一例を示す図である。
【図３７】図３７は、学生識別番号選択画面の一例を示す図である。
【図３８】図３８は、操作画面の一例を示す図である。
【図３９】図３９は、選択画面の一例を示す図である。
【図４０】図４０は、送信画面の一例を示す図である。
【図４１】図４１は、画面遷移例を示す図である。
【図４２】図４２は、第３の実施形態のサーバが有する機能の一例を示す図である。
【図４３】図４３は、第７の情報をサーバに登録する際の手順の一例を示すシーケンス図である。
【図４４】図４４は、第３の実施形態の変形例のサーバが有する機能の一例を示す図である。
【発明を実施するための形態】
【０００８】
以下、添付図面を参照しながら、本発明に係るシステム、表示装置およびプログラムの実施形態を詳細に説明する。
【０００９】
（第１の実施形態）
図１は、本実施形態のシステム１００の概念図である。システム１００は、情報処理装置の一例であるサーバ１０を含む。図１の例では、学校施設内の複数の場所（この例では、教室、職員室、保健室、体育館、グラウンド）ごとに、通信装置の一例である後述のアクセスポイントが設けられ、このアクセスポイントの電波の届く範囲が、特定区域（結界）として設定されている。表示装置の一例である後述の名札を付けた児童が何れかの特定区域に入ると、その特定区域のアクセスポイントを介してサーバ１０と接続される。ここでは、１つのアクセスポイントとサーバ１０との通信経路をネットワークと称し、サーバ１０は、複数の特定区域と１対１に対応する複数のネットワークと接続されていると考えることができる。各アクセスポイントは、該アクセスポイントが設置された特定区域内に存在する名札を、該アクセスポイントに対応するネットワークに接続する中継装置としての役割を果たす。
【００１０】
図２は、システム１００の概略構成の一例を示す図である。図２に示すように、システム１００は、サーバ１０と、アクセスポイント２０と、名札３０とを含む。アクセスポイント２０や名札３０の数は任意に変更可能である。
【００１１】
次に、アクセスポイント２０の構成について説明する。図３は、アクセスポイント２０のハードウェア構成の一例を示す図である。図３に示すように、アクセスポイント２０は、ＣＰＵ２１と、ＲＯＭ２２と、ＲＡＭ２３と、通信Ｉ／Ｆ２４とを備える。なお、ここでは、本実施形態に関する最低限の構成を例示しているが、アクセスポイント２０のハードウェア構成は図３の構成に限られるものではない。ＣＰＵ２１は、アクセスポイント２０の動作を統括的に制御する。ＲＯＭ２２は、プログラム等の各種のデータを記憶する不揮発性のメモリである。ＲＡＭ２３は、ＣＰＵ２１が実行する各種の処理の作業領域（ワークエリア）として機能する揮発性のメモリである。通信Ｉ／Ｆ２４は、サーバ１０や名札３０と通信するためのインタフェースである。
【００１２】
図４は、アクセスポイント２０が有する機能の一例を示す図である。図４に示すように、アクセスポイント２０は、ペアリング制御手段２０１と、識別情報記憶手段２０２と、識別情報通知手段２０３と、中継手段２０４とを有する。なお、アクセスポイント２０が有する機能はこれらに限られるものではない。
【００１３】
ペアリング制御手段２０１は、アクセスポイント２０と、特定区域内に存在する相手端末（この例では名札３０）との相互認証（ペアリング）を要求するペアリング要求を定期的に送信（特定区域内に発信）し、特定区域内に入ってきた名札３０とのペアリングを実施する制御を行う。
【００１４】
識別情報記憶手段２０２は、アクセスポイント２０に対応するネットワークを識別する識別情報を記憶する。この識別情報は、アクセスポイント２０が設置される特定区域を識別する情報（エリアＩＤ）であると考えることもできる。
【００１５】
識別情報通知手段２０３は、アクセスポイント２０に対応するネットワークに接続する名札３０に対して、識別情報記憶手段２０２に記憶された識別情報を通知する。この例では、識別情報通知手段２０３は、ペアリング制御手段２０１によりペアリングが実施された名札３０に対して、識別情報記憶手段２０２に記憶された識別情報を通知する。
【００１６】
中継手段２０４は、名札３０から送信された後述の第３の情報をサーバ１０へ送信し、第３の情報に対する応答としてサーバ１０から送信された後述の表示情報を名札３０へ送信する。第３の情報および表示情報の具体的な内容については後述する。
【００１７】
本実施形態では、アクセスポイント２０が有する機能（ペアリング制御手段２０１、識別情報通知手段２０３、中継手段２０４）は、ＣＰＵ２１がＲＯＭ２２等に記憶されたプログラムを実行することにより実現されるが、これに限らず、例えばアクセスポイント２０が有する機能の少なくとも一部が専用のハードウェア回路（例えば半導体集積回路等）で実現されてもよい。また、上述の識別情報記憶手段２０２は、例えばＲＯＭ２２やＲＡＭ２３等により実現可能である。
【００１８】
次に、サーバ１０の構成について説明する。図５は、サーバ１０のハードウェア構成の一例を示す図である。図５に示すように、サーバ１０は、ＣＰＵ１１と、ＲＯＭ１２と、ＲＡＭ１３と、通信Ｉ／Ｆ１４と、入力部１５と、表示部１６とを備える。なお、ここでは、本実施形態に関する最低限の構成を例示しているが、サーバ１０のハードウェア構成は図５の構成に限られるものではない。ＣＰＵ１１は、サーバ１０の動作を統括的に制御する。ＲＯＭ１２は、プログラム等の各種のデータを記憶する不揮発性のメモリである。ＲＡＭ１３は、ＣＰＵ１１が実行する各種の処理の作業領域（ワークエリア）として機能する揮発性のメモリである。通信Ｉ／Ｆ１４は、アクセスポイント２０や名札３０と通信するためのインタフェースである。入力部１５は、ユーザによる操作の入力に用いられるデバイスであり、例えばマウスやキーボードなどで構成される。表示部１６は各種の情報を表示するデバイスであり、例えば液晶型ディスプレイ装置などで構成される。
【００１９】
図６は、サーバ１０が有する機能の一例を示す図である。図６に示すように、サーバ１０は、記憶手段１０１と、第３の情報取得手段１０２と、特定手段１０３と、決定手段１０４と、表示情報送信手段１０５とを有する。なお、サーバ１０が有する機能はこれらに限られるものではない。
【００２０】
記憶手段１０１は、何れかのネットワークを識別する識別情報ごとに、名札３０に関連付けられる第１の情報に対応する第２の情報の表示項目を紐付けて記憶する。この例では、名札３０に関連付けられる第１の情報は、名札３０が割り当てられた児童を識別する学生識別番号であるが、これに限られるものではなく、名札３０のユーザを識別する情報として様々な形態の情報を利用することができる。要するに、第１の情報は、名札３０に関連付けられる情報であればよい。また、この例では、第２の情報は個人情報であるが、これに限られるものではない。
【００２１】
この例では、記憶手段１０１は、図７に示すように、学生識別番号（第１の情報）ごとに、個人情報（第２の情報）の表示項目と情報との対応関係を紐付けて記憶する。図７の例では、「ＸＹＺ」を示す学生番号に紐付けられた対応関係を例示している。また、この例では、記憶手段１０１は、図８に示すように、識別情報ごとに、個人情報の表示項目を紐付けて記憶する。図８の例では、「Ａ」を示す識別情報は、教室に設定された特定区域のアクセスポイント２０に対応するネットワークを識別（教室を識別すると考えてもよい）し、表示項目として「氏名」と「出席番号」が紐付けられている。同様に、「Ｂ」を示す識別情報は、保健室に設定された特定区域のアクセスポイント２０に対応するネットワークを識別し、表示項目として「氏名」、「学年」、「クラス」、「身長」、「体重」、「血液型」が紐付けられている。同様に、「Ｃ」を示す識別情報は、職員室に設定された特定区域のアクセスポイント２０に対応するネットワークを識別し、表示項目として「氏名」、「学年」、「クラス」、「出席番号」、「担任氏名」が紐付けられている。
【００２２】
第３の情報取得手段１０２は、第１の情報と、該第１の情報に対応する名札３０が接続されるネットワークの識別情報とを含む第３の情報を取得する。この例では、第３の情報取得手段１０２は、アクセスポイント２０を経由して名札３０から送信される第３の情報を取得する。
【００２３】
特定手段１０３は、第３の情報取得手段１０２により取得された第３の情報と、記憶手段１０１に記憶された情報とに基づいて、該第３の情報に含まれる識別情報に対応する表示項目を特定する。この例では、特定手段１０３は、第３の情報取得手段１０２により取得された第３の情報と、記憶手段１０１に記憶された情報とに基づいて、該第３の情報に含まれる識別情報に対応する表示項目を特定する。例えば第３の情報取得手段１０２により取得された第３の情報が、「ＸＹＺ」を示す学生識別番号と、「Ａ」を示す識別情報とを含む場合を想定する。図８に示すように、「Ａ」を示す識別情報に対応する表示項目は、「氏名」と「出席番号」であるので、これらの表示項目が特定手段１０３により特定される。また、例えば第３の情報取得手段１０２により取得された第３の情報が、「ＸＹＺ」を示す学生識別番号と、「Ｂ」を示す識別情報とを含む場合を想定する。図８に示すように、「Ｂ」を示す識別情報に対応する表示項目は、「氏名」、「学年」、「クラス」、「身長」、「体重」、「血液型」であるので、これらの表示項目が特定手段１０３により特定される。
【００２４】
決定手段１０４は、第３の情報取得手段１０２により取得された第３の情報に含まれる第１の情報に対応する第２の情報のうち、特定手段１０３により特定された表示項目に対応する情報を、名札３０に表示する表示情報として決定する。この例では、決定手段１０４は、第３の情報取得手段１０２により取得された第３の情報に含まれる学生識別番号に対応する個人情報のうち、特定手段１０３により特定された表示項目に対応する情報を、名札３０に表示する表示情報として決定する。例えば第３の情報取得手段１０２により取得された第３の情報が、「ＸＹＺ」を示す学生識別番号と、「Ａ」を示す識別情報とを含み、特定手段１０３により、「氏名」と「出席番号」の表示項目が特定された場合を想定する。この場合、決定手段１０４は、「ＸＹＺ」を示す学生識別番号に対応する個人情報のうち、「氏名」に対応する情報（図７の例では「鈴木一郎」）と、「出席番号」に対応する情報（図７の例では「５」）とを、表示情報として決定する。また、例えば第３の情報取得手段１０２により取得された第３の情報が、「ＸＹＺ」を示す学生識別番号と、「Ｂ」を示す識別情報とを含み、特定手段１０３により、「氏名」、「学年」、「クラス」、「身長」、「体重」、「血液型」の表示項目が特定された場合を想定する。この場合、決定手段１０４は、「ＸＹＺ」を示す学生識別番号に対応する個人情報のうち、「氏名」に対応する情報（図７の例では「鈴木一郎」）、「学年」に対応する情報（図７の例では「１年」）、「クラス」に対応する情報（図７の例では「Ｃ組」）、「身長」に対応する情報（図７の例では「１３５ｃｍ」）、「体重」に対応する情報（図７の例では「４０ｋｇ」）、「血液型」に対応する情報（図７の例では「Ａ型」）を、表示情報として決定する。
【００２５】
表示情報送信手段１０５は、決定手段１０４により決定された表示情報を、アクセスポイント２０を経由して名札３０へ送信する。この例では、表示情報送信手段１０５は、第３の情報に対する応答として、決定手段１０４により決定された表示情報を返信する。
【００２６】
本実施形態では、サーバ１０が有する機能（第３の情報取得手段１０２、特定手段１０３、決定手段１０４、表示情報送信手段１０５）は、ＣＰＵ１１がＲＯＭ１２等に記憶されたプログラムを実行することにより実現されるが、これに限らず、例えばサーバ１０が有する機能の少なくとも一部が専用のハードウェア回路（例えば半導体集積回路等）で実現されてもよい。また、上述の記憶手段１０１は、例えばＲＯＭ１２やＲＡＭ１３等により実現可能である。
【００２７】
次に、名札３０の構成について説明する。図９は、名札３０のハードウェア構成の一例を示す図である。図９に示すように、名札３０は、ＣＰＵ３１と、ＲＯＭ３２と、ＲＡＭ３３と、通信Ｉ／Ｆ３４と、表示部３５とを備える。なお、ここでは、本実施形態に関する最低限の構成を例示しているが、名札３０のハードウェア構成は図９の構成に限られるものではない。ＣＰＵ３１は、名札３０の動作を統括的に制御する。ＲＯＭ３２は、プログラム等の各種のデータを記憶する不揮発性のメモリである。ＲＡＭ３３は、ＣＰＵ３１が実行する各種の処理の作業領域（ワークエリア）として機能する揮発性のメモリである。通信Ｉ／Ｆ３４は、アクセスポイント２０や名札３０と通信するためのインタフェースである。表示部３５は表示情報を表示するデバイスであり、例えば液晶型ディスプレイ装置などで構成される。
【００２８】
図１０は、名札３０が有する機能の一例を示す図である。図１０に示すように、名札３０は、第３の情報送信手段３０１と、表示情報取得手段３０２と、表示情報記憶手段３０３と、表示制御手段３０４とを有する。なお、名札３０が有する機能はこれらに限られるものではない。
【００２９】
第３の情報送信手段３０１は、アクセスポイント２０から通知された識別情報と、第１の情報とを含む第３の情報を、該アクセスポイントを経由してサーバ１０へ送信する。この例では、名札３０は、該名札３０に関連付けられている学生識別番号を保持しており、第３の情報送信手段３０１は、自装置で保持している学生識別番号と、ペアリングを実施したアクセスポイント２０から通知された識別情報とを含む第３の情報を、該アクセスポイント２０を経由してサーバ１０へ送信する。
【００３０】
表示情報取得手段３０２は、第３の情報送信手段３０１により送信された第３の情報に対する応答として表示情報を取得する。表示情報記憶手段３０３は、表示情報取得手段３０２により取得された表示情報を記憶する。表示制御手段３０４は、表示情報を表示部３５に表示する制御を行う。
【００３１】
例えば「ＸＹＺ」を示す識別番号を保持する名札３０が、教室に設定された特定区域のアクセスポイント２０とペアリングを実施した場合、名札３０は、「Ａ」を示す識別情報と、「ＸＹＺ」を示す学生識別番号とを含む第３の情報を、アクセスポイント２０を経由してサーバ１０へ送信する。そして、第３の情報に対する応答として、「ＸＹＺ」を示す学生識別番号に対応する個人情報のうち、「氏名」に対応する情報（図７の例では「鈴木一郎」）と、「出席番号」に対応する情報（図７の例では「５」）とを、表示情報として取得し、図１１に示すように、その取得した表示情報を表示する。また、例えば「ＸＹＺ」を示す識別番号を保持する名札３０が、保健室に設定された特定区域のアクセスポイントとペアリングを実施した場合、名札３０は、「Ｂ」を示す識別情報と、「ＸＹＺ」を示す学生識別番号とを含む第３の情報を、アクセスポイント２０を経由してサーバ１０へ送信する。そして、第３の情報に対する応答として、「ＸＹＺ」を示す学生識別番号に対応する個人情報のうち、「氏名」に対応する情報（図７の例では「鈴木一郎」）、「学年」に対応する情報（図７の例では「１年」）、「クラス」に対応する情報（図７の例では「Ｃ組」）、「身長」に対応する情報（図７の例では「１３５ｃｍ」）、「体重」に対応する情報（図７の例では「４０ｋｇ」）、「血液型」に対応する情報（図７の例では「Ａ型」）を、表示情報として取得し、図１２に示すように、その取得した表示情報を表示する。
【００３２】
なお、この例では、サーバ１０の表示情報送信手段１０５が、決定手段１０４により決定された表示情報を名札３０に表示する制御を行う制御手段として機能していると考えることもできるし、名札３０の表示制御手段３０４が上記制御手段として機能としていると考えることもできるし、表示情報送信手段１０５と表示制御手段３０４との組み合わせが上記制御手段として機能していると考えることもできる。要するに、本実施形態のシステム１００は、決定手段１０４により決定された表示情報を名札３０（表示装置の一例）に表示する制御を行う制御手段を備える形態であればよい。
【００３３】
また、この例では、表示制御手段３０４は、名札３０がネットワークに接続されているか否かを定期的に確認し、名札３０がネットワークに接続されている場合は、表示情報記憶手段３０３に記憶された表示情報を表示部３５に表示する制御を行う一方、名札３０がネットワークに接続されていない場合は、表示情報記憶手段３０３に記憶された表示情報を消去し、該表示情報の表示を停止する制御を行う。名札３０がネットワークに接続されているか否かを確認する方法としては、公知の様々な技術を利用することが可能である。例えば各アクセスポイント２０は、ペアリング済みの名札３０に対して、接続の問い合せを定期的に送信し、表示制御手段３０４は、アクセスポイント２０からの接続の問い合せを一定の期間内に受信している場合は、名札３０はネットワークに接続されていると判断することもできる。
【００３４】
本実施形態では、名札３０が有する機能（第３の情報送信手段３０１、表示情報取得手段３０２、表示制御手段３０４）は、ＣＰＵ３１がＲＯＭ３２等に記憶されたプログラムを実行することにより実現されるが、これに限らず、例えば名札３０が有する機能の少なくとも一部が専用のハードウェア回路（例えば半導体集積回路等）で実現されてもよい。また、上述の表示情報記憶手段３０３は、例えばＲＯＭ３２やＲＡＭ３３等により実現可能である。
【００３５】
図１３は、システム１００による処理の手順の一例を示すシーケンス図である。まず、名札３０が何れかの特定区域内に入ると、その特定区域のアクセスポイント２０からのペアリング要求を受信し（ステップＳ１）、ペアリングが実施される。次に、アクセスポイント２０は、識別情報記憶手段２０２に記憶された識別情報を名札３０へ通知する（ステップＳ２）。次に、名札３０は、自装置で保持している学生識別番号と、ステップＳ２で通知された識別情報とを含む第３の情報を、アクセスポイント２０を経由してサーバ１０へ送信する（ステップＳ３）。次に、サーバ１０は、ステップＳ３で受信した第３の情報と、記憶手段１０１に記憶された情報とに基づいて、表示情報を決定する（ステップＳ４）。具体的な内容は上述したとおりである。次に、サーバ１０は、ステップＳ４で決定した表示情報を、アクセスポイント２０を経由して名札３０へ送信する（ステップＳ５）。次に、名札３０は、ステップＳ５で受信した表示情報を表示する（ステップＳ６）。
【００３６】
図１４は、システム１００による処理の一例を示すフローチャートである。図１４に示すように、まず名札３０が何れかの特定区域内に入り、該特定区域のアクセスポイント２０からペアリング要求を受信する（ステップＳ１１）。そして、該特定区域のアクセスポイント２０は、ペアリング要求を受信した名札３０（特定区域内に入った名札３０）とのペアリングを実施する（ステップＳ１２）。次に、アクセスポイント２０は、識別情報記憶手段２０２に記憶された識別情報を名札３０へ通知する（ステップＳ１３）。次に、名札３０は、自装置で保持している学生識別番号と、ステップＳ１３で通知された識別情報とを含む第３の情報を、アクセスポイント２０を経由してサーバ１０へ送信する（ステップＳ１４）。次に、サーバ１０は、ステップＳ１４で受信した第３の情報と、記憶手段１０１に記憶された情報とに基づいて、該第３の情報に含まれる識別情報に対応する表示項目を特定する（ステップＳ１５）。具体的な内容は上述したとおりである。次に、サーバ１０は、ステップＳ１４で受信した第３の情報に含まれる学生識別情報に対応する個人情報のうち、ステップＳ１５で特定した表示項目に対応する情報を、表示情報として決定する（ステップＳ１６）。次に、サーバ１０は、ステップＳ１６で決定した表示情報を、アクセスポイント２０を経由して名札３０へ送信する（ステップＳ１７）。次に、名札３０は、ステップＳ１７で受信した表示情報を表示する（ステップＳ１８）。
【００３７】
ステップＳ１８の後、名札３０は、図１５に示す処理を繰り返し実行する。図１５に示すように、名札３０は、ペアリング済みのアクセスポイント２０に対応するネットワークに接続されているか否かを確認する（ステップＳ２１）。ネットワークに接続されている場合（ステップＳ２１：Ｙｅｓ）、名札３０は、表示情報記憶手段３０３に記憶されている表示情報を表示する（ステップＳ２２）。一方、ネットワークに接続されていない場合（ステップＳ２１：Ｎｏ）、名札３０は、表示情報記憶手段３０３に記憶されている表示情報を消去し、該表示情報の表示を停止する（ステップＳ２３）。
【００３８】
以上に説明したように、本実施形態では、名札３０の表示内容は、名札３０が接続されるネットワーク（名札３０が存在する特定区域）を識別する識別情報と、名札３０に関連付けられる学生識別番号とに応じて変更される。これにより、名札３０を身に付けたユーザ（児童等）の現在位置に応じて適切な情報を表示する仕組みを実現できる。
【００３９】
（第１の実施形態の変形例１）
例えばサーバ１０が、上述の第３の情報を送信してきた名札３０に対して、該第３の情報に対応する表示情報を定期的に送信する形態であってもよい。図１６は、本変形例のサーバ１０が有する機能の一例を示す図である。図１６に示すように、サーバ１０は、表示情報記憶手段１０６をさらに備える。表示情報記憶手段１０６は、第３の情報取得手段１０２により取得された第３の情報ごとに、決定手段１０４により決定された表示情報を対応付けて記憶する。
【００４０】
図１７は、表示情報記憶手段１０６に記憶された情報の一例を示す図である。この例では、第３の情報は、識別情報と学生識別番号との組み合わせであり、識別情報と学生識別番号との組み合わせごとに表示情報が対応付けられている。表示情報送信手段１０５は、表示情報記憶手段１０６に記憶された第３の情報ごとに、該第３の情報に対応する表示情報を、該第３の情報に対応する名札３０（該第３の情報に含まれる学生識別番号に関連付けられている名札３０）へ定期的に送信する。そして、名札３０の表示制御手段３０４は、サーバ１０から表示情報を取得するたびに、その取得した表示情報を表示部３５に表示する。
【００４１】
（第１の実施形態の変形例２）
例えば名札３０が、表示情報を要求する表示要求情報を定期的に送信し、その応答として受信した表示情報を表示する形態であってもよい。図１８は、本変形例の名札３０が有する機能の一例を示す図である。図１８に示すように、名札３０は、表示要求情報送信手段３１０をさらに有する。表示要求情報送信手段３１０は、名札３０がネットワークに接続されているか否かを定期的に確認し、名札３０がネットワークに接続されている場合は、該ネットワークに対応するアクセスポイント２０から通知された識別情報と、自装置が保持する学生識別番号とを含み、表示情報を要求する表示要求情報を、アクセスポイント２０を経由してサーバ１０へ送信する。また、表示情報取得手段３０２は、表示要求情報に対する応答として表示情報を取得する。表示制御手段３０４は、表示情報取得手段３０２により表示情報が取得されるたびに、その取得された表示情報を表示部３５に表示する制御を行う。
【００４２】
アクセスポイント２０の中継手段２０４は、名札３０から送信された表示要求情報をサーバ１０へ送信し、表示要求情報に対する応答としてサーバ１０から送信された表示情報を名札３０へ送信する。
【００４３】
図１９は、本変形例のサーバ１０が有する機能の一例を示す図である。図１９に示すように、サーバ１０は、表示情報記憶手段１０６と、表示要求情報取得手段１０７と、表示情報特定手段１０８とをさらに有する。
【００４４】
表示情報記憶手段１０６は、第１の実施形態の変形例１で説明した内容と同様である。表示要求情報取得手段１０７は、上述の表示要求情報を取得する。表示情報特定手段１０８は、表示要求情報と、表示情報記憶手段１０６に記憶された情報とに基づいて、該表示要求情報に対応する表示情報を特定する、なお、例えば、特定手段１０３が表示情報特定手段１０８の機能を兼ねる形態であってもよい。表示情報送信手段１０５は、表示要求情報取得手段１０７により取得された表示要求情報に対する応答として、表示情報特定手段１０８により特定された表示情報を、アクセスポイント２０を経由して名札３０へ送信する。
【００４５】
図２０は、図１４のステップＳ１８の後、名札３０が表示要求情報を定期的に送信し、その応答として受信した表示情報を表示する手順の一例を示すシーケンス図である。まず、名札３０は、ペアリング済みのアクセスポイント２０に対応するネットワークに接続されているか否かを確認する（ステップＳ３１）。以下の説明では、ステップＳ３１の結果が肯定であることを前提として説明する。次に、名札３０は、ペアリング済みのアクセスポイント２０から通知された識別情報と、自装置が保持する学生識別番号とを含み、表示情報を要求する表示要求情報を、アクセスポイント２０を経由してサーバ１０へ送信する（ステップＳ３２）。次に、サーバ１０は、ステップＳ３２で受信した表示要求情報と、表示情報記憶手段１０６に記憶された情報とに基づいて、表示情報を決定する（ステップＳ３３）。具体的な内容は上述したとおりである。次に、サーバ１０は、ステップＳ３３で決定した表示情報を、アクセスポイント２０を経由して名札３０へ送信する（ステップＳ３４）。次に、名札３０は、ステップＳ３４で受信した表示情報を表示する（ステップＳ３５）。
【００４６】
（第１の実施形態の変形例３）
例えば名札３０は、上述の第３の情報の代わりに、自装置が保持している学生識別番号のみを送信する形態であってもよい。図２１は、本変形例の名札３０が有する機能の一例を示す図である。図２１に示すように、名札３０は、第３の情報送信手段３０１の代わりに、第１の情報送信手段３０５を有する。第１の情報送信手段３０５は、名札３０が接続されるネットワークに対応するアクセスポイント２０（ペアリング済みのアクセスポイント２０）に対して、第１の情報（この例では学生識別番号）を送信する。表示情報取得手段３０２は、第１の情報送信手段３０５により送信された第１の情報に対する応答として表示情報を取得する。その他の構成は上述した内容と同様である。
【００４７】
図２２は、本変形例のアクセスポイント２０が有する機能の一例を示す図である。図２２に示すように、アクセスポイント２０は、識別情報通知手段２０３の代わりに、第１の情報取得手段２０５を有する。第１の情報取得手段２０５は、ネットワークに接続する名札３０から第１の情報（この例では学生識別番号）を取得する。中継手段２０４は、第１の情報取得手段２０５により取得された第１の情報と、識別情報記憶手段２０２に記憶された識別情報とを含む第３の情報をサーバ１０へ送信し、第３の情報に対する応答としてサーバ１０から送信された表示情報を名札３０へ送信する。サーバ１０の構成は上述の第１の実施形態で説明したとおりである。
【００４８】
図２３は、本変形例のシステム１００による処理の手順の一例を示すシーケンス図である。ステップＳ４１の内容は、図１３のステップＳ１の内容と同様である。ステップＳ４１の後、名札３０は、自装置で保持している学生識別番号をアクセスポイント２０へ送信する（ステップＳ４２）。次に、アクセスポイント２０は、ステップＳ４２で受信した学生識別番号と、識別情報記憶手段２０２に記憶された識別情報とを含む第３の情報をサーバ１０へ送信する（ステップＳ４３）。ステップＳ４４〜ステップＳ４６の処理内容は、図１３のステップＳ４〜ステップＳ６の処理内容と同様である。
【００４９】
（第１の実施形態の変形例４）
例えばサーバ１０が、ネットワークから外れた名札３０の表示情報の表示を停止する形態であってもよい。
【００５０】
図２４は、本変形例のアクセスポイント２０が有する機能の一例を示す図である。図２４に示すように、アクセスポイント２０は、通知情報送信手段２０６をさらに有する。通知情報送信手段２０６は、ペアリング済みの名札３０がネットワークに接続されているか否かを定期的に確認し、名札３０がネットワークに接続されていない場合は、名札３０に関連付けられた学生識別番号を含み、かつ、該名札３０がネットワークに接続されていないことを通知するための通知情報をサーバ１０へ送信する。例えばアクセスポイント２０は、図２５に示すように、ペアリング済みの名札３０ごとに（特定区域内に存在する名札３０ごとに）、学生識別番号と、接続状態とを対応付けて管理することもできる。
【００５１】
図２６は、本変形例のサーバ１０が有する機能の一例を示す図である。図２６に示すように、サーバ１０は、通知情報取得手段１１０と、表示情報記憶手段１０６と、表示停止手段１１１とをさらに有する。
【００５２】
通知情報取得手段１１０は、上述の通知情報を取得する。表示情報記憶手段１０６は、第１の実施形態の変形例１で説明した内容と同様である。表示停止手段１１１は、表示情報記憶手段１０６に記憶された第３の情報のうち、通知情報取得手段１１０により取得された通知情報に含まれる学生識別番号を含む第３の情報を特定し、特定した第３の情報に対応する表示情報の表示を停止する制御を行う。
【００５３】
図２７は、図１４のステップＳ１８の後の本変形例のシステム１００による処理の一例を示すフローチャートである。図２７に示すように、アクセスポイント２０は、ペアリング済みの名札３０ごとに、ネットワークに接続されているか否かを確認する（ステップＳ５０）。この確認方法は任意であり、例えばペアリング済みの各名札３０に対して定期的に送信する接続問い合わせに対する応答が無い場合、その名札３０はネットワークに接続されていないと判断することもできる。
【００５４】
アクセスポイント２０は、何れかの名札３０がネットワークに接続されていないと判断した場合（ステップＳ５０：Ｎо）、上述の通知情報をサーバ１０へ送信する（ステップＳ５１）。そして、サーバ１０は、表示情報記憶手段１０６に記憶された第３の情報のうち、ステップＳ５１で受信した通知情報に含まれる学生識別番号を含む第３の情報を特定し、特定した第３の情報に対応する表示情報の表示を停止する制御を行う（ステップＳ５２）。
【００５５】
（第１の実施形態の変形例５）
例えばサーバ１０が設けられずに、名札３０が、上述したサーバ１０の機能を有する形態であってもよい。図２８は、本変形例の名札３０が有する機能の一例を示す図である。図２８に示すように、名札３０は、識別情報取得手段３１１と、記憶手段３１２と、特定手段３１３と、決定手段３１４と、表示情報記憶手段３０３と、表示制御手段３０４とを有する。
【００５６】
識別情報取得手段３１１は、ペアリング済みのアクセスポイント２０から通知された識別情報を取得する。記憶手段３１２は、図６に示す記憶手段１０１に相当する。特定手段３１３は、名札３０が接続されるネットワークの識別情報（識別情報取得手段３１１により取得された識別情報）と、自装置で保持している学生識別番号と、記憶手段３１２に記憶された情報とに基づいて、学生識別番号に対応する個人情報の表示項目を特定する。決定手段３１４は、自装置で保持している学生識別番号に対応する個人情報のうち、特定手段３１３により特定された表示項目に対応する情報を表示情報として決定する。表示情報記憶手段３０３と表示制御手段３０４の内容は上述したとおりである。表示制御手段３０４は、決定手段３１４により決定された表示情報を表示部３５に表示する制御を行う。
【００５７】
（第２の実施形態）
次に、第２の実施形態について説明する。上述の第１の実施形態と共通する部分については適宜に説明を省略する。
【００５８】
図２９は、本実施形態のシステム１００の概略構成の一例を示す図である。図２９に示すように、システム１００は、端末装置の一例である教師端末４０をさらに含む。教師端末４０はサーバ１０と接続されている。以下では、教師端末４０とサーバ１０との通信経路を、「第２のネットワーク」と称する場合がある。つまり、教師端末４０は、第２のネットワークを介してサーバ１０と接続されると考えることができる。
【００５９】
図３０は、教師端末４０のハードウェア構成の一例を示す図である。図３０に示すように、教師端末４０は、ＣＰＵ４１と、ＲＯＭ４２と、ＲＡＭ４３と、通信Ｉ／Ｆ４４と、入力部４５と、表示部４６とを備える。なお、ここでは、本実施形態に関する最低限の構成を例示しているが、教師端末４０のハードウェア構成は図３０の構成に限られるものではない。ＣＰＵ４１は、教師端末４０の動作を統括的に制御する。ＲＯＭ４２は、プログラム等の各種のデータを記憶する不揮発性のメモリである。ＲＡＭ４３は、ＣＰＵ４１が実行する各種の処理の作業領域（ワークエリア）として機能する揮発性のメモリである。通信Ｉ／Ｆ４４は、サーバ１０や名札３０と通信するためのインタフェースである。入力部４５は、ユーザによる操作の入力に用いられるデバイスである。表示部４６は各種の情報を表示するデバイスであり、例えば液晶型ディスプレイ装置などで構成される。また、例えば、表示部４６が入力部４５の機能を兼ねる形態であってもよい。この場合、表示部４６は、例えば液晶型のタッチパネルで構成されてもよい。
【００６０】
図３１は、教師端末４０が有する機能の一例を示す図である。図３１に示すように、教師端末４０は、表示項目選択手段４０１と、第４の情報記憶手段４０２と、第５の情報送信手段４０３と、ペアリング制御手段４０４と、接続情報送信手段４０５と、第１の情報取得手段４０６と、第２の中継手段４０７とを有する。
【００６１】
表示項目選択手段４０１は、教師端末４０のユーザ（この例では教師）の操作に応じて１以上の表示項目を選択する。この例では、表示項目選択手段４０１は、教師の操作に応じて、図３２に示すような、表示項目の選択を促す操作画面を教師端末４０（表示部４６）に表示する制御を行う。操作画面には、複数の表示項目ごとに、該表示項目を選択するためのチェックボックス４２０が表示される。表示項目選択手段４０１は、操作画面に対する教師の操作に応じて１以上の表示項目を選択する。
【００６２】
第４の情報記憶手段４０２は、教師端末４０を識別する教師端末ＩＤ（第４の情報の一例）を記憶する。
【００６３】
第５の情報送信手段４０３は、教師の操作に応じて選択された表示項目と、第４の情報記憶手段４０２に記憶された教師端末ＩＤとを含む第５の情報をサーバ１０へ送信する。
【００６４】
ペアリング制御手段４０４は、第５の情報が送信された後、ペアリング（相互認証）を要求するペアリング要求を送信し、ペアリング要求を受信した名札３０とのペアリングを実施する。つまり、教師端末４０が発信する電波の届く範囲に存在する名札３０は、教師端末４０とペアリングされる。
【００６５】
接続情報送信手段４０５は、ペアリング済みの名札３０に対して、教師端末４０を介して第２のネットワークと接続するために必要な接続情報を送信する。この例では、接続情報送信手段４０５は、教師端末４０を介してデザリングで第２のネットワークに接続するために必要な情報（例えばＳＳＩＤや教師端末ＩＤ）を接続情報として送信する。
【００６６】
第１の情報取得手段４０６は、ペアリング済みの名札３０から第１の情報を取得する。第２の中継手段４０７は、第１の情報取得手段４０６により取得された第１の情報と、第４の情報記憶手段４０２に記憶された教師端末ＩＤとを含む第６の情報をサーバ１０へ送信し、第６の情報に対する応答としてサーバ１０から送信された表示情報を名札３０へ送信する。
【００６７】
本実施形態では、教師端末４０が有する機能（表示項目選択手段４０１、第５の情報送信手段４０３、ペアリング制御手段４０４、接続情報送信手段４０５、第１の情報取得手段４０６と、第２の中継手段４０７）は、ＣＰＵ４１がＲＯＭ４２等に記憶されたプログラムを実行することにより実現されるが、これに限らず、例えば教師端末４０が有する機能の少なくとも一部が専用のハードウェア回路（例えば半導体集積回路等）で実現されてもよい。また、上述の第４の情報記憶手段４０２は、例えばＲＯＭ４２やＲＡＭ４３等により実現可能である。
【００６８】
図３３は、本実施形態のサーバ１０が有する機能の一例を示す図である。図３３に示すように、サーバ１０は、第５の情報取得手段１１２と、登録手段１１３と、第６の情報取得手段１１４とを有する。
【００６９】
第５の情報取得手段１１２は、上述の第５の情報を教師端末４０から取得する。登録手段１１３は、第５の情報を記憶手段１０１に登録する。第６の情報取得手段１１４は、上述の第６の情報を教師端末４０から取得する。
【００７０】
特定手段１０３は、第６の情報と、記憶手段１０１に記憶された情報とに基づいて、第６の情報に含まれる教師端末ＩＤに対応する表示項目を特定する。決定手段１０４は、第６の情報に含まれる学生識別番号に対応する個人情報のうち、特定手段１０３により特定された表示項目に対応する情報を、表示情報として決定する。表示情報送信手段１０５は、決定手段１０４により決定された表示情報を、教師端末４０を経由して名札３０へ送信する。
【００７１】
図３４は、本実施形態の名札３０が有する機能の一例を示す図である。図３４に示すように、名札３０は、第１の情報送信手段３０６をさらに有する。第１の情報送信手段３０６は、教師端末４０（ペアリング済みの教師端末４０）に対して、自装置で保持している学生識別番号を送信する。この例では、名札３０は、第２のネットワークとの接続が確立すると、自装置で保持している学生識別番号を教師端末４０へ送信する。表示情報取得手段３０２は、第１の情報に対する応答として表示情報を取得し、表示制御手段３０４は、表示情報取得手段３０２により取得された表示情報を表示部３５に表示する制御を行う。以降、この例では、表示制御手段３０４は、名札３０が第２のネットワークに接続されているか否かを定期的に確認し、名札３０が第２のネットワークに接続されている場合は、表示情報記憶手段３０３に記憶された表示情報を表示部３５に表示する制御を行う一方、名札３０が第２のネットワークに接続されていない場合は、表示情報記憶手段３０３に記憶された表示情報を消去し、該表示情報の表示を停止する制御を行う。
【００７２】
図３５は、本実施形態のシステム１００による処理の手順の一例を示すシーケンス図である。まず、教師端末４０は、教師の操作に応じて表示項目を選択する（ステップＳ６１）。具体的な内容は上述したとおりである。次に、教師端末４０は、ステップＳ６１で選択した表示項目と、第４の情報記憶手段４０２に記憶された教師端末ＩＤとを含む第５の情報をサーバ１０へ送信する（ステップＳ６２）。次に、サーバ１０は、教師端末４０から受信した第５の情報を記憶手段１０１に登録する（ステップＳ６３）。
【００７３】
また、教師端末４０は、ステップＳ６２の後、ペアリング要求の送信を開始し（ステップＳ６４）、ペアリング要求を受信した名札３０との間でペアリングを実施する。そして、ペアリング済みの名札３０に対して接続情報を送信する。名札３０は、第２のネットワークとの接続が確立すると、自装置で保持している学生識別番号を教師端末４０へ送信する（ステップＳ６５）。学生識別番号を受信した教師端末４０は、受信した学生識別番号と、自装置で保持している教師端末ＩＤとを含む第６の情報をサーバ１０へ送信する（ステップＳ６６）。次に、サーバ１０は、ステップＳ６６で受信した第６の情報と、記憶手段１０１に記憶された情報とに基づいて、表示情報を決定する（ステップＳ６７）。次に、サーバ１０は、ステップＳ６７で決定した表示情報を、教師端末４０を経由して名札３０へ送信する（ステップＳ６８）。次に、名札３０は、ステップＳ６８で受信した表示情報を表示する（ステップＳ６９）。
【００７４】
（第３の実施形態）
次に、第３の実施形態について説明する。上述の第２の実施形態と共通する部分については適宜に説明を省略する。ここでは、上述の第１の実施形態の変形例１で説明したように、サーバ１０が名札３０に対して表示情報を定期的に送信する構成を前提とする。
【００７５】
図３６は、本実施形態の教師端末４０が有する機能の一例を示す図である。図３６に示すように、教師端末４０は、第７の情報決定手段４１０と、第７の情報送信手段４１１とを有する。
【００７６】
第７の情報決定手段４１０は、教師の操作に応じて、学生識別番号と第２の表示情報とを含む第７の情報を決定する。より具体的には、以下のとおりである。なお、第２の表示情報は、典型的には緊急のメッセージである。まず、第７の情報決定手段４１０は、教師の操作に応じて、図３７に示すような、学生識別番号の選択を促す学生識別番号選択画面を教師端末４０（表示部４６）に表示する制御を行う。学生識別番号選択画面には、学生識別番号ごとに、該学生識別番号を選択するためのチェックボックス４３０が表示される。第７の情報決定手段４１０は、学生識別番号選択画面に対する教師の操作に応じて、何れかの学生識別番号を選択する。次に、第７の情報決定手段４１０は、図３８に示すような操作画面を教師端末４０（表示部４６）に表示する制御を行う。操作画面には、複数の定型文のうちの何れかを第２の表示情報として選択するためのボタン４３１と、手動で第２の情報を入力するためのボタン４３２とが表示され、教師は何れかのボタンを押下することができる。ボタン４３１の押下を受け付けた場合、第７の情報決定手段４１０は、例えば図３９に示すような選択画面を教師端末４０（表示部４６）に表示する制御を行う。選択画面には、定型文ごとに、該定型文を選択するためのチェックボックス４４０が表示される。第７の情報決定手段４１０は、教師により選択された定型文を第２の表示情報として決定することができる。一方、ボタン４３２の押下を受け付けた場合、例えば第７の情報決定手段４１０は、情報（典型的にはテキスト）を入力するための入力画面を表示部４６に表示する制御を行い、この入力画面に対する入力が確定した情報を、第２の表示情報として決定することもできる。第７の情報決定手段４１０は、以上のようにして選択した学生識別番号と、以上のようにして決定した第２の表示情報とを含む第７の情報を決定する。
【００７７】
第７の情報送信手段４１１は、教師の操作に応じて、上述の第７の情報をサーバ１０へ送信する。この例では、第７の情報決定手段４１０は、第７の情報を決定した後、図４０に示すような、第７の情報を送信する指示を受け付けるための送信画面を教師端末４０（表示部４６）に表示する制御を行う。送信画面には、決定された第７の情報の内容と、送信の指示を受け付けるためのボタン４５０が表示される。ボタン４５０の押下を受け付けた場合、第７の情報送信手段４１１は、第７の情報決定手段４１０により決定された第７の情報をサーバ１０へ送信する。図４１は、図３７〜図４０の画面遷移を示す図である。
【００７８】
図４２は、本実施形態のサーバ１０が有する機能の一例を示す図である。図４２に示すように、サーバ１０は、第７の情報取得手段１１７と追加手段１１８とをさらに有する点で図１６の構成と異なる。
【００７９】
第７の情報取得手段１１７は上述の第７の情報を取得する。追加手段１１８は、第７の情報に含まれる学生識別番号に対応する個人情報に、第７の情報に含まれる第２の表示情報を追加する。本実施形態の表示情報送信手段１０５は、表示情報記憶手段１０６に記憶された第３の情報に含まれる学生識別番号に対応する個人情報の中に、第２の表示情報が含まれる場合は、該第３の情報に対応する表示情報に対して該第２の表示情報を加えた情報を表示情報として名札３０へ送信（定期的に送信）する。
【００８０】
図４３は、第７の情報をサーバ１０に登録する際の手順の一例を示すシーケンス図である。図４３に示すように、教師端末４０は、教師の操作に応じて、第７の情報を決定する（ステップＳ７１）。次に、教師端末４０は、教師の操作に応じて、ステップＳ７１で決定した第７の情報をサーバ１０へ送信する（ステップＳ７２）。次に、サーバ１０は、ステップＳ７２で受信した第７の情報に含まれる学生識別番号に対応する個人情報に、該第７の情報に含まれる第２の表示情報を追加する（ステップＳ７３）。
【００８１】
（第３の実施形態の変形例）
例えば上述の第１の実施形態の変形例２で説明したように、名札３０が表示要求情報を定期的に送信し、その応答として受信した表示情報を表示する構成を前提としてもよい。
【００８２】
教師端末４０の機能構成は、図３６に示した機能構成と同様である。図４４は、本変形例のサーバ１０が有する機能の一例を示す図である。図４４に示すように、サーバ１０は、第７の情報取得手段１１７と追加手段１１８とをさらに有する点で図１９の構成と異なる。
【００８３】
第７の情報取得手段１１７および追加手段１１８の内容は上述したとおりである。この例では、特定手段１０３は、上述の表示要求情報に含まれる学生識別番号に対応する個人情報の中に第２の表示情報が含まれるか否かを判断する。決定手段１０４は、該表示要求情報に含まれる学生識別番号に対応する個人情報の中に第２の表示情報が含まれる場合は、該表示要求情報に含まれる学生識別番号に対応する個人情報のうち、特定手段１０３により特定された表示項目に対応する情報に対して、第２の表示情報を加えた情報を表示情報として決定する。
【００８４】
なお、第７の情報をサーバ１０に登録する際の手順は、図４２と同様の手順となる。
【００８５】
以上、本発明に係る実施形態について説明したが、本発明は、上述の実施形態そのままに限定されるものではなく、実施段階ではその要旨を逸脱しない範囲で構成要素を変形して具体化できる。また、上述の実施形態に開示されている複数の構成要素の適宜な組み合わせにより、種々の発明を形成できる。例えば、上述の実施形態に示される全構成要素から幾つかの構成要素を削除してもよい。また、上述の各実施形態および各変形例は任意に組み合わせることが可能である。
【００８６】
また、上述した実施形態のシステム１００に含まれる各装置（サーバ１０、アクセスポイント２０、名札３０、教師端末４０）で実行されるプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）等のコンピュータで読み取り可能な記録媒体に記録して提供するように構成してもよいし、インターネット等のネットワーク経由で提供または配布するように構成してもよい。また、各種プログラムを、ＲＯＭ等に予め組み込んで提供するように構成してもよい。
【符号の説明】
【００８７】
１０    サーバ
２０    アクセスポイント
３０    名札
４０    教師端末
１００  システム
１０１  記憶手段
１０２  第３の情報取得手段
１０３  特定手段
１０４  決定手段
１０５  表示情報送信手段
１０６  表示情報記憶手段
１０７  表示要求情報取得手段
１０８  表示情報特定手段
１１０  通知情報取得手段
１１１  表示停止手段
１１２  第５の情報取得手段
１１３  登録手段
１１４  第６の情報取得手段
２０１  ペアリング制御手段
２０２  識別情報記憶手段
２０３  識別情報通知手段
２０４  中継手段
２０５  第１の情報取得手段
２０６  通知情報送信手段
３０１  第３の情報送信手段
３０２  表示情報取得手段
３０３  表示情報記憶手段
３０４  表示制御手段
３０５  第１の情報送信手段
３０６  第１の情報送信手段
３１１  識別情報取得手段
３１２  記憶手段
３１３  特定手段
３１４  決定手段
４０１  表示項目選択手段
４０２  第４の情報記憶手段
４０３  第５の情報送信手段
４０４  ペアリング制御手段
４０５  接続情報送信手段
４０６  第１の情報取得手段
４０７  第２の中継手段
【先行技術文献】
【特許文献】
【００８８】
【特許文献１】特開２００７−４２００９号公報
【図１】
2017033338.tif 000003
【図２】
2017033338.tif 000004
【図３】
2017033338.tif 000005
【図４】
2017033338.tif 000006
【図５】
2017033338.tif 000007
【図６】
2017033338.tif 000008
【図７】
2017033338.tif 000009
【図８】
2017033338.tif 000010
【図９】
2017033338.tif 000011
【図１０】
2017033338.tif 000012
【図１１】
2017033338.tif 000013
【図１２】
2017033338.tif 000014
【図１３】
2017033338.tif 000015
【図１４】
2017033338.tif 000016
【図１５】
2017033338.tif 000017
【図１６】
2017033338.tif 000018
【図１７】
2017033338.tif 000019
【図１８】
2017033338.tif 000020
【図１９】
2017033338.tif 000021
【図２０】
2017033338.tif 000022
【図２１】
2017033338.tif 000023
【図２２】
2017033338.tif 000024
【図２３】
2017033338.tif 000025
【図２４】
2017033338.tif 000026
【図２５】
2017033338.tif 000027
【図２６】
2017033338.tif 000028
【図２７】
2017033338.tif 000029
【図２８】
2017033338.tif 000030
【図２９】
2017033338.tif 000031
【図３０】
2017033338.tif 000032
【図３１】
2017033338.tif 000033
【図３２】
2017033338.tif 000034
【図３３】
2017033338.tif 000035
【図３４】
2017033338.tif 000036
【図３５】
2017033338.tif 000037
【図３６】
2017033338.tif 000038
【図３７】
2017033338.tif 000039
【図３８】
2017033338.tif 000040
【図３９】
2017033338.tif 000041
【図４０】
2017033338.tif 000042
【図４１】
2017033338.tif 000043
【図４２】
2017033338.tif 000044
【図４３】
2017033338.tif 000045
【図４４】
2017033338.tif 000046